(57)【要約】【課題】部品点数が少なく、部材間の開閉や回転が可能で、その回転角度がクリック感で感得できる利便性の高いヒンジ装置を提供する。【解決手段】第１の部材４と第２の部材６との間に設置されるヒンジ装置である。その構成は、取り付けられた開閉機構部８と、この開閉機構部に立設させた支持軸４２と、この支持軸に回転可能に支持されるとともに、第２の部材６に固定された軸受部（軸受板６４）と、支持軸に形成され外周に凹凸（凹部８６、９６、凸部８８、９４）を形成したフランジ部７６と、このフランジ部の凹凸と係合する係止部９０とを備え、これらの係合の強弱が軸受部とフランジ部との相対的な回転角度に応じて異なる構成としたクリック機構部８４とを備えている。【選択図】        図１
2005009602.tif 000002
【特許請求の範囲】
【請求項１】
第１の部材に取り付けられた開閉機構部と、
この開閉機構部に立設させた支持軸と、
この支持軸に回転可能に支持されるとともに、第２の部材に固定された軸受部と、
前記支持軸に形成され外周に凹凸を形成したフランジ部と、このフランジ部の前記凹凸と係合する係止部とを備え、これらの係合の強弱が前記軸受部と前記フランジ部との相対的な回転角度に応じて異なる構成としたクリック機構部と、
を備えたことを特徴とするヒンジ装置。
【発明の詳細な説明】
【０００１】
【発明の属する技術分野】
本発明は、ビデオカメラ、携帯電話機等、２部材の開閉や部材の回転等に用いられるヒンジ装置に関し、特に、部材間の回転による角度設定や部材間の開閉を所定角度で可能にしたヒンジ装置に関する。
【０００２】
【従来の技術】
ビデオカメラや、カメラ付き携帯電話機等の電子機器では多様なシーンの撮影とその映像確認が要請されており、１つの機器でその要請に答えるには、機能部分を２以上に分割し、その各部材をヒンジ装置で連結して開閉や回転等を可能にしている。また、カメラ付き携帯電話機では、電話機能とカメラ機能との併合により、その部材間の回転や開閉を複雑化させている。
【０００３】
このようなヒンジ装置について、先行特許文献には次のようなものがある。
【０００４】
【特許文献１】
特開平１１−２３９２８７号公報
【０００５】
【特許文献２】
特開平７−３１９５８７号公報
【０００６】
【特許文献３】
特開２００２−１５５９２３号公報
【０００７】
【特許文献４】
特開２００２−２２７８２６号公報
【０００８】
特許文献１には、ビデオカメラのカメラ本体の側面部にヒンジブロックを介してモニタブロックが取り付けられ、モニタブロックをヒンジブロックにより開閉又は回転させる構成が開示されている。ヒンジブロックは開閉軸によってカメラ本体とモニタブロックとの開閉を可能にし、開閉軸に支持されたヒンジ本体に回転軸を介してモニタブロックを回転可能にした構成である。
【０００９】
特許文献２には、携帯型パソコンに表示部がヒンジ部を介して取り付けられ、このヒンジ部はアームに回転保持部を取り付け、この回転保持部に表示部を回転可能に取り付けた構成が開示されている。パソコンの本体部に対して表示部の開閉角度がアームの開閉角度とアームに対する表示部の開閉角度とにより設定され、この開閉角度の位置を中心に表示部が回転可能に構成されている。
【００１０】
特許文献３には、複数のトルク発生部を有する２軸ヒンジについて、２軸により回転と方向転換を行う構成が開示されている。
【００１１】
また、特許文献４には、本体側に取り付けられた開閉軸に貫通させて回転軸を取り付けた構成が開示されており、蓋等の部材を開閉軸の回転により開閉角度、回転軸の回転により開閉角度の位置を中心に向きが変えられる構成である。
【００１２】
【発明が解決しようとする課題】
ところで、ヒンジ装置を用いてビデオカメラや携帯電話機の表示部を回転させる場合、所定の回転角度で停止させることができるとともに、回転操作時、停止角度を感じさせることが必要である。回転操作に伴って角度が意識できれば、操作感覚のみで所望の角度を設定することができる。
【００１３】
係る課題は、先行特許文献に開示された技術を用いても解決することができない。
【００１４】
そこで、本発明は、部品点数が少なく、部材間の開閉や回転が可能で、その回転角度がクリック感で感得できる利便性の高いヒンジ装置を提供することを目的とする。
【００１５】
【課題を解決するための手段】
上記目的を達成するため、本発明のヒンジ装置は、図１に例示するように、第１の部材４に取り付けられた開閉機構部８と、この開閉機構部に立設させた支持軸４２と、この支持軸に回転可能に支持されるとともに、第２の部材６に固定された軸受部（軸受板６４）と、前記支持軸に形成され外周に凹凸（凹部８６、９６、凸部８８、９４）を形成したフランジ部７６と、このフランジ部の前記凹凸と係合する係止部９０とを備え、これらの係合の強弱が前記軸受部と前記フランジ部との相対的な回転角度に応じて異なる構成としたクリック機構部８４とを備えた構成である。
【００１６】
係る構成とすれば、第２の部材は第１の部材に対し、開閉機構部及び支持軸によって開閉可能に取り付けられるとともに、支持軸に軸受部を介して回転可能に取り付けられている。従って、第２の部材は、支持軸を中心に回転可能に支持されており、支持軸に設けられたフランジ部と軸受部とは相対的な角度が変化する。そこで、軸受部とフランジ部との間に両者間の係合の強弱を軸受部とフランジ部との相対的な回転角度に応じて異ならせたクリック機構部を備えた構成とすれば、第２の部材を回転させるとき、軸受部に形成されフランジ部と係合する係合部による係合関係のクリックによってトルク感が得られ、両者の回転角度の変化を感じ取ることができ、設定された角度に第２の部材を停止させることができる。
【００１７】
【発明の実施の形態】
本発明のヒンジ装置の実施形態について、図１〜図３を参照して説明する。図１はヒンジ装置の分解斜視図、図２はヒンジ装置の正面図、図３はヒンジ装置の側面図を示している。
【００１８】
このヒンジ装置２は、第１の部材４と第２の部材６との間に設けられ、両者を機械的に連結する連結部材であって、これら部材４、６間のねじれ等の相対的な回転、屈曲や開閉等の互いの成す角度の変更等、機械的操作に用いられる。部材４は、例えば、ビデオカメラではカメラ本体、携帯電話機では電話機本体であり、部材６は例えば、表示部である。
【００１９】
部材４には、部材６を開閉させる開閉機構部８が設けられ、この実施形態では、部材４に形成された溝部１０の底面部に形成された一対のねじ孔１２に一対の軸受部１４、１６がねじ１８によって固定されている。軸受部１４、１６は、溝部１０に設置する固定部２０に立壁部２２をＬ字形に形成し、固定部２０には透孔２４、立壁部２２には軸受孔２６が形成されている。各軸受部１４、１６には、Ｃ字形の開閉枠２８が各ねじ３０によって回動可能に固定されている。開閉枠２８は、軸受部１４、１６の立壁部２２と平行に一対の軸支部３２と、各軸支部３２間を連結する支持部３４とを備え、軸支部３２にはねじ３０を固定するねじ孔３６が形成されている。各ねじ３０には支持軸部３８が形成され、各軸支部３２を回動可能に軸受孔２６に挿入されることにより、軸受部１４、１６に開閉枠２８が軸支部３２を中心に回動可能に取り付けられている。
【００２０】
開閉枠２８の軸支部３２の間隔内には、各軸支部３２を押し広げる円弧状のばね板４０を介在させて支持軸４２がねじ４４によって固定されている。ねじ４４は、支持部３４の透孔４６、ばね板４０の透孔４８に挿通させ、支持軸４２に形成されたねじ孔５０に締め付け固定されている。これによって、開閉枠２８には円柱状の支持軸４２が支持部３４と直交方向に一体に固定され、支持軸４２の下端面がばね板４０に一体に形成された載置部５２の上面に載置され、ねじ４４による固定と、載置部５２上の密着関係とによって支持部３４と支持軸４２との直交関係が維持される。
【００２１】
また、部材６には、取付板５４がねじ５６によって固定され、この取付板５４にはねじ５６を挿通させる一対の透孔５８が形成されるとともに、中心部に支持軸４２を支持する軸支孔６０が形成され、この軸支孔６０を挟んで一対のねじ孔６２が形成されている。この取付板５４の下面側には、支持軸４２に支持される軸受部としてばね板からなる軸受板６４が一対のねじ６６をねじ孔６２に取り付けることにより、固定されている。軸受板６４は、取付板５４に固定する一対の固定部６８とともに、透孔７０が形成された軸支部７２を備えている。固定部６８には、ねじ６６を貫通させるための切欠部７３が形成されているが、この切欠部７３は透孔であってもよい。そして、軸支部７２と固定部６８との間には傾斜部７４が形成され、この傾斜部７４の傾斜角度により、固定部６８より下方に軸支部７２を突出させ、軸支部７２と取付板５４との間にフランジ部７６が回動可能に挿入される空間部７８が形成されている。この空間部７８の大きさは傾斜部７４の傾斜角度に依存する。
【００２２】
フランジ部７６には透孔８０が形成され、この透孔８０には支持軸４２が圧入され、支持軸４２とフランジ部７６とは一体化され、このフランジ部７６は軸受板６４からの支持軸４２の抜け止めとして機能する。フランジ部７６は、取付板５４と軸受板６４の軸支部７２との間に摺動可能な接触状態が維持され、支持軸４２と部材６とのがたつきが防止される。また、軸受板６４には補強のための立壁部８２が形成されている。
【００２３】
そして、部材６とともに軸受板６４を回転させた際に、クリック感を発生させるクリック機構部８４は、フランジ部７６の周囲部に形成された複数の凹部８６及び円弧状の凸部８８と、軸支部７２に立設された係合部としての係止部９０とによって構成されている。係止部９０は、ばね板で形成された軸受板６４と一体に形成されたストッパーであって、ばね板が持つ弾性を備えている。例えば、図４に示すように、フランジ部７６には、支持軸４２の中心Ｏを中心にして角度θ毎に平坦面を成す凹部８６と、湾曲面を成す凸部８８とを交互に形成し、係止部９０の幅を凹部８６に嵌まり込むように形成する。この場合、角度θはほぼ４５度である。
【００２４】
以上の構成によれば、図２及び図３に示すように、矢印Ｍの方向に支持軸４２を中心にして部材６を回転させることができ、この回転は部材６とともに軸受板６４を回転させるので、その係止部９０が支持軸４２に固定されているフランジ部７６の凹部８６、凸部８８に接触して回転する。この結果、フランジ部７６と軸受板６４との間に係合の強弱が軸受板６４とフランジ部７６との相対的な回転角度に応じて異なる結果、クリック感、トルク感が得られる。即ち、軸受板６４がばね板で形成され、係止部９０に適当な弾性が得られ、クリック感、トルク感が得られる。この場合、係止部９０は平坦面を成し、凹部８６が平坦面、凸部８８が湾曲面であることから、凹部８６が係止部９０と係止して部材６側を停止させる安定面、凸部８８がその凹部８６と次の凹部８６との途上状態である不安定面を構成している。このため、適当なクリック感及びトルク感が所定の角度、図４に示す例では、９０度間隔でのクリック感が得られる。
【００２５】
また、部材６は、図３に示すように、矢印Ｎの方向に開閉機構部８を以て開閉させることができる。この場合、ばね板４０の復元力によって軸受部１４、１６の立壁部２２が開閉枠２８の各軸支部３２を押圧し、両者間に相当な摩擦が発生しているので、任意の開閉角度に部材６を停止させることができる。
【００２６】
また、図５の（Ａ）に示すように、係止部９０の凹部８６に対向する面部に球面状の凸部９２を形成してもよく、滑らかな回転状態と停止感が得られる。また、図５の（Ｂ）に示すように、フランジ部７６の周面に湾曲面である凸部９４及び凹部９６を形成し、凹部９６に対応する円周面状の凸部９８を備えた係止部９０を軸受板６４に形成しても同様の機能が達成される。
【００２７】
したがって、このようなヒンジ装置では、部品点数を少なくでき、安価に提供できる。しかも、実施形態では、説明を容易にするため、支持軸４２を無垢材料で形成した場合について説明したが、これらを中空体として構成すれば、その内部にワイヤ等の導体を貫通させ、部材４及び部材６間の電気的な連結も可能である。
【００２８】
なお、実施形態では、部材４、６としてビデオカメラ、カメラ付き携帯電話機を例示したが、本発明のヒンジ装置は、これらビデオカメラ、カメラ付き携帯電話機に用いられるものに限定されるものではない。
【００２９】
また、実施形態では、フランジ部７６に９０度毎に凹部８６又は凹部９６を設定したが、安定面と不安定面の数を増加して例えば、０度、４５度、９０度及び１０５度等の複数の各開閉角度を設定することも可能である。
【００３０】
【発明の効果】
以上説明したように、本発明によれば、次の効果が得られる。
（１）  部品点数が少なく、組立てが容易であって、ビデオカメラや携帯電話機等の本体部と表示部等、部材間の開閉、一方の部材に対し他方の部材の回転を行うことができる。
（２）  部材の回転に回転角度を認識できるクリック感を得ることができる。
【図面の簡単な説明】
【図１】本発明の実施形態に係るヒンジ装置を示す分解斜視図である。
【図２】実施形態に係るヒンジ装置を示す正面図である。
【図３】実施形態に係るヒンジ装置を示す側面図である。
【図４】フランジ部と係止部との関係を示す平面図である。
【図５】他のフランジ部と係止部との関係を示す平面図である。
【符号の説明】
２  ヒンジ装置
４  第１の部材
６  第２の部材
８  開閉機構部
４２  支持軸
６４  軸受板（軸受部）
７６  フランジ部
８４  クリック機構部
８６、９６  凹部
８８、９４  凸部
９０  係止部（係合部）
【図１】
2005009602.tif 000003
【図２】
2005009602.tif 000004
【図３】
2005009602.tif 000005
【図４】
2005009602.tif 000006
【図５】
2005009602.tif 000007